(57)【要約】【課題】  入金の手間を抑制し入金のための時間を短縮することができる入金システムの提供。【解決手段】  複数の入金機１２とこれら入金機１２に接続されて売上金の管理を行う管理機１３とを有する入金システムにおいて、複数の入金機１２のそれぞれに、入金可状態にあるか入金不可状態にあるかを表示可能な状態表示専用の状態表示装置５０が設けられている。入金者はまず状態表示装置５０を確認して入金可な入金機１２を確認し、この入金機１２に行って入金処理を行う。【選択図】        図３
2006031353.tif 000002
【特許請求の範囲】
【請求項１】
複数の入金機とこれら入金機に接続されて売上金の管理を行う管理機とを有する入金システムにおいて、
前記複数の入金機のそれぞれに、入金可状態にあるか入金不可状態にあるかを表示可能な状態表示専用の状態表示装置が設けられていることを特徴とする入金システム。
【請求項２】
前記状態表示装置は、前記入金可状態として、入金残容量に余裕のある入金余裕状態にあるか、入金残容量の余裕が少なくなってきたニアフル状態にあるかを表示可能であることを特徴とする請求項１記載の入金システム。
【請求項３】
前記状態表示装置は、前記入金不可状態として、入金を行っている使用中状態にあるか、入金残容量がないまたは金庫交換中の停止中状態にあるかを表示可能であることを特徴とする請求項１または２記載の入金システム。
【請求項４】
前記状態表示装置は、各状態をそれぞれ異なる色彩で表示する表示ランプからなることを特徴とする請求項１乃至３のいずれか一項記載の入金システム。
【請求項５】
前記状態表示装置は、対応する前記入金機の機体の上部または上方に設けられていることを特徴とする請求項１乃至４のいずれか一項記載の入金システム。
【発明の詳細な説明】
【技術分野】
【０００１】
本発明は、多数のレジを有する百貨店等において、これらレジの売上金を複数の入金機を有する共用のエリアにおいて入金処理する入金システムに関する。
【背景技術】
【０００２】
多数のレジを有する百貨店等において、これらレジの売上金を複数の入金機を有する共用のエリアにおいて入金処理する入金システムに関する技術がある（例えば特許文献１参照）。この入金システムにおいては、入金者毎に売上金の入金が完了しているかどうかを監視し、売上金を入金していない未入金者を知らせるとともに、未入金者に対する入金の督促を容易に行えるようになっている。
【特許文献１】特開平９−１２０４８５号公報
【発明の開示】
【発明が解決しようとする課題】
【０００３】
ところで、入金者は、共用の入金エリアにおいて、複数ある入金機のいずれかで入金処理を行うことになる。
【０００４】
これら複数の入金機が誰一人として入金を行っていない状況にあっては、すべての入金機の入金収納量がゼロであって、いずれの入金機においても、十分に入金残容量に余裕があり、充分に入金処理を受け付けることが可能な状態となっている。
【０００５】
一方、一般的な入金処理が過密な入金過密時間帯、すなわち閉店間際の時間帯から終業時間前の所定の時間帯にあっては、順次入金処理がなされていて、複数の入金機はそれぞれ異なる入金収納量となる。このため、まだ充分に入金処理を受け付けることが可能な入金機もあれば、紙幣または硬貨あるいはそれぞれの一部の金種において収納量が限界に近づき、次に行われる入金処理の入金額（入金額を構成する紙幣数または硬貨数）によっては、その入金処理途中で入金残容量がゼロとなるフル状態になってしまう入金機もある。入金中にフル状態になった場合には、再度、別の入金機によって入金処理を行わなければならず、必要以上に手間および時間がかかってしまう。
【０００６】
したがって、本発明は、入金の手間を抑制し入金のための時間を短縮することができる入金システムの提供を目的とする。
【課題を解決するための手段】
【０００７】
上記目的を達成するために、請求項１に係る発明は、複数の入金機とこれら入金機に接続されて売上金の管理を行う管理機とを有する入金システムにおいて、前記複数の入金機のそれぞれに、入金可状態にあるか入金不可状態にあるかを表示可能な状態表示専用の状態表示装置が設けられていることを特徴としている。
【０００８】
請求項２に係る発明は、請求項１に係る発明において、前記状態表示装置は、前記入金可状態として、入金残容量に余裕のある入金余裕状態にあるか、入金残容量の余裕が少なくなってきたニアフル状態にあるかを表示可能であることを特徴としている。
【０００９】
請求項３に係る発明は、請求項１または２に係る発明において、前記状態表示装置は、前記入金不可状態として、入金を行っている使用中状態にあるか、入金残容量がないまたは金庫交換中の停止中状態にあるかを表示可能であることを特徴としている。
【００１０】
請求項４に係る発明は、請求項１乃至３のいずれか一項に係る発明において、前記状態表示装置は、各状態をそれぞれ異なる色彩で表示する表示ランプからなることを特徴としている。
【００１１】
請求項５に係る発明は、請求項１乃至４のいずれか一項に係る発明において、前記状態表示装置は、対応する前記入金機の機体の上部または上方に設けられていることを特徴としている。
【発明の効果】
【００１２】
請求項１に係る発明によれば、複数の入金機のそれぞれに、入金可状態にあるか入金不可状態にあるかを表示可能な状態表示専用の状態表示装置が設けられているため、入金者はまず各状態表示装置を確認して入金可な入金機を見つけ、この入金機に行って入金処理を行う。このように状態表示装置を一目見るだけで入金処理のために適切な入金機に向かうことができるため、入金の手間を抑制し入金のための時間を短縮することができる。
【００１３】
請求項２に係る発明によれば、状態表示装置が、入金可状態として、入金残容量に余裕のある入金余裕状態にあるか入金残容量の余裕が少なくなってきたニアフル状態にあるかを表示可能であるため、入金しようとする売上額に応じた適切な入金機に行って入金処理を行うことができる。例えば、ニアフル状態の入金機のみ空いている場合に、入金しようとする売上金が少なければ、表示にしたがってこのニアフル状態の入金機に行って入金処理を行うことができる。このように入金処理のためにさらに適切な入金機に向かうことができるため、待ち時間を含めた入金の時間をさらに短縮することができる。
【００１４】
請求項３に係る発明によれば、状態表示装置が、入金不可状態として、入金を行っている使用中状態にあるか、入金残容量がないまたは金庫交換中の停止中状態にあるかを表示可能であるため、例えば、入金可状態の入金機がない状態で、いずれかの入金機が使用中状態にあれば、使用中状態にある入金機が空くのを待つことになり、他方、すべての入金機が停止中状態にあれば停止中状態の解除を行わせる等して無駄に待つことを避けることができる。
【００１５】
請求項４に係る発明によれば、状態表示装置が、各状態をそれぞれ異なる色彩で表示する表示ランプからなるため、入金者は各入金機がいずれの状態にあるかを一目で判断できる。
【００１６】
請求項５に係る発明によれば、状態表示装置が、対応する入金機の機体の上部または上方に設けられているため、入金者が状態表示装置を視認しやすくなる。
【発明を実施するための最良の形態】
【００１７】
本発明の一実施形態の入金システムを図面を参照して以下に説明する。
【００１８】
図１に示す本実施形態の入金システム１０は、多数の図示略のレジを有する百貨店やショッピングセンター等において、これらレジの売上金を共用の入金室（エリア）１１において入金処理するシステムであり、入金室１１内に設置される図１および図２に示す複数具体的には６台の入金機１２とこれら入金機１２に接続されて売上金の管理を行うこれら入金機１２に共用の管理機１３とを有している。
【００１９】
管理機１３は、図３に示すように、制御部１５と、操作入力がなされると入力情報を制御部１５に出力する操作部１６と、制御部１５で制御されて表示を行う表示部１７とを有しており、例えば図１に示すように入金室１２の入口２０の付近に設置されている。
【００２０】
入金機１２は、入金が行われる際に入金者情報（店舗の識別情報またはレジの識別情報）が入力され、その後入金を受け入れることで入金者情報に関連づけて入金金額等の入金額情報を記憶することになるが、管理機１３にはこれらの入金者情報および入金額情報が各入金機１２から制御部１５に入力されることになり、管理機１３はこれらの情報から店舗またはレジの個々の入金状況を管理するようになっている。つまり、各店舗または各レジのそれぞれについて入金機１２に入金が行われたか否か、入金が行われた時刻、入金金額等を管理する。
【００２１】
加えて、管理機１３には、個々の入金機１２における貨幣の収納状態等がリアルタイムで制御部１５に入力されることになり、この収納状態等から個々の入金機１２の入力可不可状態を監視する。
【００２２】
各入金機１２は、少なくとも硬貨と紙幣との入金が可能なもので、それぞれ、硬貨の選別計数を行う硬貨入金機構部２２と、紙幣の選別計数を行う紙幣入金機構部２３と、これらを制御する制御部２４と、操作入力がなされると入力情報を制御部２４に出力する操作部２５と、制御部２４で制御されて表示を行う表示部２６とが機体２７に一体的に設けられている。なお、入金機１２を硬貨および紙幣の出金も可能な入出金機で構成することも可能である。さらに、入金機１２を入金した硬貨および紙幣の出金も可能な環流式の入出金機で構成することも可能である。
【００２３】
図１および図２に示すように、各入金機１２には、入金室１１の入口２０の位置から一目で目視認識可能な機体２７の上方の表示位置２８に、入口２０の位置から一目で目視認識可能な大きさでそれぞれ個別の号機番号が表示されている。号機番号は入金機１２の配列の順番に付されている。
【００２４】
各入金機１２の制御部２４は、図３に示す硬貨入金機構部２２および紙幣入金機構部２３の少なくともいずれか一方に入金貨幣が投入された状態で、入金処理を開始する旨の操作入力が操作部２５に入力されると硬貨入金機構部２２および紙幣入金機構部２３の対応するものを駆動することになる。例えば、硬貨および紙幣が投入されると、駆動された硬貨入金機構部２２および紙幣入金機構部２３は硬貨の選別計数および紙幣の選別計数を行うことになり、選別計数後、制御部２４は計数結果を表示部２６に表示させる。そして、操作部２５に計数結果を確認する操作が入力されると、制御部２４は、入金金額を確定するとともに、硬貨入金機構部２２および紙幣入金機構部２３において選別計数した硬貨および紙幣を適宜分類して収納させる。
【００２５】
紙幣入金機構部２３は、具体的には、万円券用のスタッカ（収納部）３０と、千円券収納用のスタッカ（収納部）３１と、五千円券・二千円券共用のスタッカ（収納部）３２と、紙幣を金種混合で収納するスタッカ（収納部）３３とを有している。
【００２６】
硬貨入金機構部２２は、５００円硬貨用のスタッカ（収納部）３４と、１００円硬貨用のスタッカ（収納部）３５と、５０円硬貨用のスタッカ（収納部）３６と、１０円硬貨用のスタッカ（収納部）３７と、５円硬貨用のスタッカ（収納部）３８と、１円硬貨用のスタッカ（収納部）３９と、硬貨を金種混合で収納するスタッカ（収納部）４０とを有している。
【００２７】
そして、制御部２４は、万円券については万円券用のスタッカ３０に収納させ、このスタッカ３０がフル（満杯）状態になると、その後は万円券を金種混合のスタッカ３３に収納させる。同様に、千円券については千円券用のスタッカ３１に収納させ、このスタッカ３１がフル状態になると、その後は千円券を金種混合のスタッカ３３に収納させる。五千円券については五千円券・二千円券共用のスタッカ３２に収納させ、このスタッカ３２がフル状態になると、その後は五千円券を金種混合のスタッカ３３に収納させる。二千円券については五千円券・二千円券共用のスタッカ３２に収納させ、このスタッカ３２がフル状態になると、その後は二千円券を金種混合のスタッカ３３に収納させる。
【００２８】
また、５００円硬貨については５００円硬貨用のスタッカ３４に収納させ、このスタッカ３４がフル状態になると、その後は５００円硬貨を金種混合のスタッカ４０に収納させる。同様に、１００円硬貨については１００円硬貨用のスタッカ３５に収納させることになり、このスタッカ３５がフル状態になると、その後は１００円硬貨を金種混合のスタッカ４０に収納させる。５０円硬貨については５０円硬貨用のスタッカ３６に収納させることになり、このスタッカ３６がフル状態になると、その後は５０円硬貨を金種混合のスタッカ４０に収納させる。１０円硬貨については１０円硬貨用のスタッカ３７に収納させることになり、このスタッカ３７がフル状態になると、その後は１０円硬貨を金種混合のスタッカ４０に収納させる。５円硬貨については５円硬貨用のスタッカ３８に収納させることになり、このスタッカ３８がフル状態になると、その後は５円硬貨を金種混合のスタッカ４０に収納させる。１円硬貨については１円硬貨用のスタッカ３９に収納させることになり、このスタッカ３９がフル状態になると、その後は１円硬貨を金種混合のスタッカ４０に収納させる。
【００２９】
そして、各スタッカ３０〜４０には、それぞれ、貨幣の収納された収納量言い換えれば貨幣の残り収納可能な残容量を検出するためのセンサ４３およびセンサ４４が設けられている。つまり、各スタッカ３０〜４０には、収納量がフル状態に近い所定量になるとこれを検出するニアフルセンサ４３と、収納量がフル状態になるとこれを検出するフルセンサ４４とが設けられている。各入金機１２は、すべてのスタッカ３０〜４０のニアフルセンサ４３およびフルセンサ４４の検出結果をそれぞれの制御部２４がリアルタイムで監視している。
【００３０】
また、各入金機１２は、それぞれの制御部２４が、それぞれ入金機１２が使用中（入金処理中）であるか否かをリアルタイムで判定する。例えば、各制御部２４は、入金に先立って同じ入金機１２の操作部２５に入金者情報が入力されると、その後、同じ入金機１２の操作部２５に入金処理を開始する旨の操作入力がなされ、入金機１２に投入された入金貨幣が識別計数され、この入金処理についての計数結果を確認する操作が操作部２５に入力されるまでの間、入金機１２が使用中状態にあると判定し、それ以外の状態では入金機１２が使用中状態にない待機中状態にあると判定する。
【００３１】
さらに、各入金機１２は、それぞれの制御部２４が、それぞれ入金機１２が金庫交換中状態にあるか否かをリアルタイムで判定する。入金機１２の制御部２４は、例えば、操作部２５に金庫交換を行う際の操作入力が入力されると、その後、すべてのスタッカ３０〜４０が機体２７に装填されかつ操作部２５に金庫交換が終了した際の操作入力が入力されるまでの間は、金庫交換中状態にあると判定し、それ以外の状態では金庫交換中状態にないと判定する。
【００３２】
加えて、各入金機１２は、それぞれの制御部２４が、それぞれ入金機１２が正常状態にあるか異常状態にあるかをリアルタイムで判定する。入金機１２の制御部２４は、例えば、ジャム等が発生すると異常状態にあると判定する。
【００３３】
さらに、各入金機１２は、それぞれの制御部２４が、それぞれ入金機１２が管理機１３からの指令で休止状態にあるか否かをリアルタイムで判定する。つまり、時間帯によってはすべての入金機１２を稼動状態にしておく必要はなく、管理機１３の制御部１５が、省電力のために複数ある入金機１２のうち所定の入金機１２は休止状態とするのである。
【００３４】
そして、本実施形態においては、複数の入金機１２のそれぞれに、制御部２４で制御されて入金可状態にあるか入金不可状態にあるかを表示可能な状態表示専用の表示ランプ（状態表示装置）５０が設けられている。
【００３５】
表示ランプ５０は、入金室１１の入口２０の位置から一目で目視認識可能な各機体２７の上方位置に設けられており、具体的には機体２７の上方の号機番号の表示位置２８のさらに上方に設けられている。つまり、号機番号１の入金機１２の号機番号を示す「１」が表示された表示位置２８の上方に号機番号１の入金機１２専用の表示ランプ５０が設けられ、この表示ランプ５０は号機番号１の入金機１２の制御部２４で制御される。同様に、号機番号２〜６の入金機１２のそれぞれについて、専用の表示ランプ５０がそれぞれの入金機１２の号機番号が表示された表示位置２８の上方に設けられている。なお、表示ランプ５０は対応する入金機１２の機体２７の幅の範囲内において上方に設けられる。
【００３６】
各表示ランプ５０は、上から順に、赤色点灯および消灯が切替可能な赤色点灯部５１と、黄色点灯および消灯が切替可能な黄色点灯部５２と、青色点灯および消灯が切替可能な青色点灯部５３とを有するタワー型のものであり、赤色点灯部５１を点灯させ黄色点灯部５２および青色点灯部５３を消灯させる赤色点灯状態と、黄色点灯部５２を点灯させ赤色点灯部５１および青色点灯部５３を消灯させる黄色点灯状態と、青色点灯部５３を点灯させ黄色点灯部５２および赤色点灯部５１を消灯させる青色点灯状態と、赤色点灯部５１、黄色点灯部５２および青色点灯部５３をすべて消灯させる消灯状態の四つの状態が表示可能となっている。
【００３７】
そして、本実施形態において、各入金機１２のそれぞれの制御部２４は、対応する全スタッカ３０〜４０のニアフルセンサ４３およびフルセンサ４４のリアルタイムの検出結果と、全スタッカ３０〜４０の金庫交換中状態にあるか否かの判定と、対応する入金機１２が使用中か否かつまり使用中状態にあるか待機状態にあるかの判定と、対応する入金機１２が異常状態にあるか否かの判定と、対応する入金機１２が休止状態にあるか否かの判定とから、入金可状態にあるか入金不可状態にあるかを判定し、さらに詳しく、入金可状態として、入金残容量に余裕のある入金余裕状態にあるか入金残容量の余裕が少なくなってきたニアフル状態にあるかを判定するとともに、入金不可状態として、入金を行っている使用中状態にあるか、入金残容量がないフル状態、金庫交換中状態、異常状態および休止状態のいずれか一つを満足する停止中状態にあるかを判定する。そして、各入金機１２のそれぞれの制御部２４は、対応する表示ランプ５０に各状態毎に異なる表示を行わせる。
【００３８】
つまり、例えば、号機番号１の入金機１２の制御部２４は、号機番号１の入金機１２の紙幣および硬貨の金種混合の両スタッカ３３，４０のいずれのニアフルセンサ４３でもニアフル状態が検出されないという条件（この条件は両スタッカ３３，４０のいずれのフルセンサ４４でもフル状態が検出されないという条件を満たす）と、号機番号１の入金機１２のスタッカ３０〜４０のいずれも金庫交換中状態にないという条件と、号機番号１の入金機１２が使用中ではない待機状態にあるという条件と、号機番号１の入金機１２が異常状態にないという条件と、号機番号１の入金機１２が休止状態にないという条件とがすべて満足される場合に、入金可状態の入金余裕状態にあると判定してその旨を号機番号１の入金機１２の表示ランプ５０に表示させる。この場合、号機番号１の入金機１２の表示ランプ５０を青色点灯状態にする。
【００３９】
また、号機番号１の入金機１２の制御部２４は、号機番号１の入金機１２の紙幣および硬貨の金種混合の両スタッカ３３，４０のいずれかがニアフルセンサ４３でニアフル状態が検出されるとともにいずれもフルセンサ４４でフル状態が検出されないという条件と、号機番号１の入金機１２のスタッカ３０〜４０のいずれも金庫交換中状態にないという条件と、号機番号１の入金機１２が使用中ではない待機状態にあるという条件と、号機番号１の入金機１２が異常状態にないという条件と、号機番号１の入金機１２が休止状態にないという条件とがすべて満足される場合に、入金可状態の入金ニアフル状態にあると判定してその旨を号機番号１の入金機１２の表示ランプ５０に表示させる。この場合、号機番号１の入金機１２の表示ランプ５０を黄色点灯状態にする。
【００４０】
さらに、号機番号１の入金機１２の制御部２４が、号機番号１の入金機１２の紙幣および硬貨の金種混合の両スタッカ３３，４０のいずれかがフルセンサ４４でフル状態が検出されるという条件と、スタッカ３０〜４０のいずれかが金庫交換中状態にあるという条件と、号機番号１の入金機１２が異常状態にあるという条件と、号機番号１の入金機１２が休止状態にあるという条件とのうちのいずれか一つが満足される場合には、入金不可状態の停止中状態と判定してその旨を号機番号１の入金機１２の表示ランプ５０に表示させる。この場合、号機番号１の入金機１２の表示ランプ５０を赤色点灯状態にする。
【００４１】
加えて、号機番号１の入金機１２の制御部２４が、号機番号１の入金機１２の紙幣および硬貨の金種混合の両スタッカ３３，４０のいずれかがフルセンサ４４でフル状態が検出されるという条件と、スタッカ３０〜４０のいずれかが金庫交換中状態にあるという条件と、号機番号１の入金機１２が異常状態にあるという条件と、号機番号１の入金機１２が休止状態にあるという条件とのうちのいずれも満足されない状態にあって、号機番号１の入金機１２が使用中状態にある場合は、入金不可状態の使用中状態と判定してその旨を号機番号１の入金機１２の表示ランプ５０に表示させる。この場合、号機番号１の入金機１２の表示ランプ５０を消灯状態にする。
【００４２】
そして、号機番号１〜ｎ（実施形態では号機番号１〜６）のすべての入金機１２について、個々の状態に応じてそれぞれの制御部２４が上記と同様の表示をそれぞれの表示ランプ５０で表示させる。
【００４３】
以上に述べたように、本実施形態の入金システム１０によれば、複数の入金機１２のそれぞれに、入金可状態にあるか入金不可状態にあるかを表示可能な状態表示専用の表示ランプ５０が設けられており、これら表示ランプ５０がそれぞれの入金機１２が入金可状態にあるか入金不可状態にあるかを表示するため、入金者は表示ランプ５０を確認して入金可状態を示す青色点灯状態または黄色点灯状態にある入金機１２を見つけて、この入金機１２に行って入金処理を行う。このように表示ランプ５０を一目見るだけで入金処理のために適切な入金機１２に向かうことができるため、入金の手間を抑制し入金のための時間を短縮することができる。
【００４４】
しかも、それぞれの表示ランプ５０が、入金可状態として、入金残容量に余裕のある入金余裕状態にあるか入金残容量の余裕が少なくなってきたニアフル状態にあるかを表示可能であるため、入金しようとする売上額に応じた適切な入金機１２に行って入金処理を行うことができる。例えば、表示ランプ５０が青色点灯状態にある入金余裕状態の入金機１２がある場合にはこの入金機１２に行って入金処理を行い、入金余裕状態にある入金機１２がなく、表示ランプ５０が黄色点灯状態にあるニアフル状態の入金機１２のみがある場合に、入金しようとする売上金が少なければ、表示にしたがって黄色点灯状態にあるニアフル状態の入金機１２に行って入金処理を行う一方、入金しようとする売上金が多ければ、表示ランプ５０が青色点灯するのを待ち青色点灯状態となった入金機１２に行って入金処理を行うことができる。このように入金処理のためにさらに適切な入金機１２に向かうことができるため、待ち時間を含めた入金の時間をさらに短縮することができる。
【００４５】
加えて、それぞれの表示ランプ５０が、入金不可状態として、入金を行っている使用中状態にあるか、入金残容量がない状態、金庫交換中状態、異常状態および休止状態のいずれかの状態つまり停止中状態にあるかを表示可能であるため、例えば、入金可状態の入金機１２がない状態で、いずれかの入金機が表示ランプ５０が消灯状態とされた使用中状態にあれば、使用中状態にある入金機１２が空くのを待つことになり、他方、すべての入金機１２が赤色点灯状態とされた停止中状態にあれば停止中状態の解除を行わせる等して無駄に待つことを避けることができる。
【００４６】
しかも、各状態をそれぞれ異なる色彩で表示する表示ランプ５０を用いるため、入金者は各入金機１２がいずれの状態にあるかを一目で判断できる。
【００４７】
加えて、表示ランプ５０が対応する入金機１２の上方に設けられているため、入金者は表示ランプ５０を視認しやすくなる。なお、表示ランプ５０を対応する入金機１２の上部に設けても勿論視認性に優れることになる。
【００４８】
なお、貨幣のスタッカへの収納方式は上記に限定されることはなく、例えば紙幣用のすべてのスタッカで紙幣を全金種一括で収納させ、硬貨用のすべてのスタッカで硬貨を全金種一括で収納させるようにしても良く、また、紙幣用の各スタッカですべて紙幣を金種別に収納させ、硬貨用の各スタッカですべて硬貨を金種別で収納させるようにしても良い。
【００４９】
また、以上においては、ニアフルセンサ４３およびフルセンサ４４を用いてスタッカ３０〜４０の貨幣の収納量を検出する場合を例にとり説明したが、入金計数値から割り出すようにしても良い。この場合、入金計数値から割り出された実収納量情報を、各スタッカ３０〜４０毎の基準収納量情報と比較して、入金余裕状態にあるかニアフル状態にあるかフル状態にあるかを判定することになる。
【００５０】
さらに、入金動作中に例えばニアフル状態が検出された状態で表示ランプ５０の表示を切り替えるようにしても、入金動作中にニアフル状態が検出されてもその時点では表示ランプ５０の表示を切り替えるようにせず、入金動作が完了した時点で表示ランプの表示を切り替えるようにしても良い。
【図面の簡単な説明】
【００５１】
【図１】本発明の一実施形態の入金システムの入金室への設置状態を概略的に示す平面図である。
【図２】本発明の一実施形態の入金システムの配列状態の入金機を概略的に示す正面図である。
【図３】本発明の一実施形態の入金システムを示すブロック図である。
【符号の説明】
【００５２】
１０  入金システム
１２  入金機
２７  機体
５０  表示ランプ（状態表示装置）
【図１】
2006031353.tif 000003
【図２】
2006031353.tif 000004
【図３】
2006031353.tif 000005